【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
移動体計算デバイスで実行可能な移動体クライアントと位置検出仲介サーバーで実行可能な位置仲介サービスと通信する広告配信サーバーにおいて、前記位置検出仲介サービスを使って広告配信サービスから前記移動体クライアントへの広告配信を制御する方法であって、
前記広告配信サービスから前記移動体クライアントに移動体クライアント位置要求を送るステップと、
前記広告配信サービスにおいて、前記移動体クライアントに前記移動体クライアント位置要求を送ったことに応答して、前記移動体クライアントからの位置使用トークンを受信するステップであって、前記位置使用トークンが、前記位置検出仲介サーバーから前記移動体クライアントが先に受信したものである、ステップと、
前記広告配信サービスから、前記位置使用トークンを前記位置検出仲介サーバーに送るステップであって、前記位置検出仲介サーバーにおいて前記位置検出仲介サービスが前記位置使用トークンを検証する、ステップと、
前記位置使用トークンの検証に基づいて、前記広告配信サービスにおいて、前記位置検出仲介サービスからの移動体クライアント位置を受け取るステップと、
前記広告配信サービスから、前記移動体クライアント位置にある前記移動体クライアントに位置絞り込み広告を配信するステップと、
を含む、方法。
【請求項２】
請求項１記載の方法であって、更に、前記広告配信サービスにおいて前記位置使用トークンを受け取るステップの前に、
前記位置検出仲介サービスにおいて、前記移動体クライアントからの移動体クライアント位置信号を受信するステップと、
前記位置検出仲介サービスにおいて、前記移動体クライアント信号に基づいて前記移動体クライアント位置を判定するステップと、
前記移動体クライアント位置と関連した前記位置使用トークンを、前記位置検出仲介サービスから前記移動体クライアントに送るステップと、
を含む、方法。
【請求項３】
請求項２記載の方法において、前記移動体クライアント位置信号を受信するステップ、前記移動体クライアント位置を判定するステップ、ならびに前記位置使用トークンおよび前記移動体クライアント位置を前記移動体クライアントに送るステップが、前記位置検出仲介サービスにおいて、位置検出仲介サーバーの位置検出仲介プロセッサーによって実施され、前記移動体クライアントから前記位置使用トークンを受信するステップ、前記位置使用トークンを前記位置検出仲介サービスに送るステップ、前記位置検出仲介サービスから前記移動体クライアント位置を受け取るステップ、および前記位置絞り込み広告を配信するステップが、前記広告配信サービスにおいて、前記広告配信サーバーの広告配信プロセッサーによって実施される、方法。
【請求項４】
請求項１記載の方法であって、更に、
前記位置検出仲介サービスにおいて、前記移動体クライアントからユーザー人口統計データーを受信するステップと、
前記ユーザー人口統計データーを受信したことに応答して、前記移動体クライアント位置および前記ユーザー人口統計データーを、前記位置検出仲介サービスにおいて格納するステップと、
を含む、方法。
【請求項５】
請求項４記載の方法であって、更に、
前記移動体クライアントを含む、目標ユーザー人口統計データーを有する複数の移動体クライアントを、前記位置検出仲介サービスにおいて特定するステップと、
所定のエリア内にある前記複数の移動体クライアントの数の地理的密度を、前記位置検出仲介サービスにおいて計算するステップと、
前記位置検出仲介サービスにおいて、前記複数の移動体クライアントの地理的密度が、地理的密度しきい値よりも高いと判定するステップであって、前記位置検出仲介サービスにおける前記位置使用トークンの検証が、この判定に応答する、ステップと、
を含む、方法。
【請求項６】
請求項５記載の方法であって、更に、
前記複数の移動体クライアントに広告を配信するための入札を、前記広告配信サービスにおいて、広告主から受け取るステップを含み、前記入札が、前記広告を配信する所定の時刻を含む、方法。
【請求項７】
請求項５記載の方法において、前記目標ユーザー人口統計データーが、年齢、性別、言語、行動、およびサイコグラフ特性の内１つ以上である、方法。
【請求項８】
請求項１記載の方法であって、更に、
前記位置検出仲介サービスにおいて、前記移動体クライアントからの移動体クライアント・ユーザーの同意を受け取るステップを含み、
前記位置検出ブローカー・サービスにおいて前記移動体クライアントから前記移動体クライアント位置信号を受信するステップが、前記移動体クライアント・ユーザーの同意を受け取ったことに応答する、方法。
【請求項９】
請求項１記載の方法において、前記移動体クライアント位置が領域である、方法。
【請求項１０】
請求項６記載の方法であって、更に、
前記位置検出仲介サービスにおける位置使用トークンの検証に応答して、位置絞り込み広告の配信に基づいて、前記広告配信サービスから前記広告主に広告請求書を送るステップを含む、方法。
【請求項１１】
請求項１記載の方法であって、更に、
前記位置検出仲介サービスに前記移動体クライアント位置要求を送ったことに応答して、前記移動体クライアント位置を、前記位置検出仲介サービスから前記移動体クライアントに送るステップと、
前記移動体クライアント位置を前記移動体クライアントに送ったことに応答して、前記移動体クライアント位置をキャッシュに格納し、今後の移動体クライアント位置信号を前記位置検出仲介サービスに送ることを差し控えるために、前記位置検出仲介サービスから前記移動体クライアントに命令を送るステップと、
を含む、方法。
【請求項１２】
広告配信サービスから移動体クライアントへの広告配信を制御する広告システムであって、
前記移動体クライアントに移動体クライアント位置要求を送り、前記移動体クライアントに前記移動体クライアント位置要求を送ったことに応答して前記移動体クライアントから位置使用トークンを受信し、前記位置使用トークンが、位置検出仲介サーバーから前記移動体クライアントが先に受信したものであり、検証のために前記位置使用トークンを前記位置検出仲介サービスに送り、前記位置使用トークンの検証に基づいて、前記位置検出仲介サービスから移動体クライアント位置を受け取り、前記移動体クライアント位置にある前記移動体クライアントに位置絞り込み広告を配信するために、広告配信サーバーの広告配信プロセッサーによって実行可能な命令を含む広告配信サービスを含む、広告システム。
【請求項１３】
請求項１２記載のシステムであって、更に、
前記位置検出仲介サービスは、前記移動体クライアントから移動体クライアント位置信号を受信し、前記移動体クライアント位置信号に基づいて、前記移動体クライアント位置を判定し、前記移動体クライアント位置と関連した前記位置使用トークンを前記移動体クライアントに送るために、位置検出仲介サーバーの位置検出仲介プロセッサーによって実行可能な命令を含む、広告システム。
【請求項１４】
請求項１３記載の広告システムにおいて、前記位置検出仲介サービスが、更に、前記移動体クライアントの移動体クライアント位置を含む、複数の移動体クライアントの移動体クライアント位置と、前記移動体クライアントのユーザー人口統計データーを含む前記複数の移動体クライアントのユーザー人口統計データーとを格納するための命令を含む、広告システム。